(57)【要約】【課題】メガネを簡単な方法で起立させて置ける様にする事。【解決手段】メガネ１００を平面にほぼ垂直に立てて置く事が出来るように、テンプルピースを略ラッパ形１０１とし平面Ｓに起立状態で保持できるようにした。更に起立保持補助手段も設けた。【選択図】図１
2005141174.tif 000002
【特許請求の範囲】
【請求項１】
メガネを平面にほぼ垂直に立てて置く事が出来るようにする起立保持手段を、テンプルピース自由端部に有することを特徴とする、メガネ用のテンプルピース。
【請求項２】
前記起立保持手段が磁着手段であることを特徴とする、請求項１記載のメガネ用テンプルピース。
【請求項３】
前記起立保持手段が吸着手段であることを特徴とする、請求項１記載のメガネ用のテンプルピース。
【請求項４】
テンプルピースの長軸に平行な面に対するテンプルピースの投影図形状が略ラッパ形に形成された事を特徴とする、メガネ用のテンプルピース。
【請求項５】
前記略ラッパ形の広口底部がメガネを平面にほぼ垂直に立てておく起立保持手段であることを特徴とする、請求項１又は４の何れか１項に記載のメガネ用テンプルピース。
【請求項６】
前記ラッパ形の底部に磁着手段が起立保持補助手段として設けられたことを特徴とする、請求項４に記載のメガネ用テンプルピース。
【請求項７】
前記ラッパ形の底部に吸着手段が起立保持補助手段として設けられたことを特徴とする、請求項４に記載のメガネ用テンプルピース。
【請求項８】
前記テンプルピースの小口部から後方にネジ穴が設けられ、ほぼストレートなテンプル端部には雄ネジが設けられ、該テンプルピースを回転させることによりテンプル長を変化させることが出来るようにされたことを特徴とする、請求項１又は４の何れかに記載のメガネ用テンプルピース。
【請求項９】
メガネを平面にほぼ垂直に立てて置く事が出来るようにする起立保持手段を、テンプル自由端部に有することを特徴とする、メガネ用のテンプル。
【請求項１０】
テンプルの長軸に平行な面に対する投影図形状が略ラッパ形であり、該ラッパ形の広口底部が前記起立保持手段である事を特徴とする、請求項８記載のメガネ用のテンプル。
【請求項１１】
前記ラッパ形の底部に磁着手段が起立保持補助手段として設けられたことを特徴とする、請求項１１に記載のメガネ用テンプル。
【請求項１２】
前記ラッパ形の底部に吸着手段が起立保持補助手段として設けられたことを特徴とする、請求項１１に記載のメガネ用テンプル。
【発明の詳細な説明】
【技術分野】
【０００１】  本発明は、眼鏡を起立させて保持することが出来る眼鏡用のテンプル、又はテンプルピースに関するものである。
【背景技術】
【０００２】  従来、非着用時には、メガネはポケットに収納するか、又は机等にちょっと置かれていることが多かった。又、前記机上に於かれる場合に於いては、実開平２−１２３９１４号のように折り畳み可能な脚部を設け、着用しないときは該脚部を拡げて机上等に立てて置くものが提案されていた。又、着用前、すなわち、メガネを展示する際には付属の展示用の台又はケースに置いて展示される場合が殆どであった。【０００３】
【実用新案文献１】
実開平０２−１２３９１４号
【発明の開示】
【発明が解決しようとする課題】
【０００４】  しかしながら、メガネを上記の様に机上等に於いておくと、時には、新聞とか雑誌等の下になってしまって、どこに行ったか探すのが大変になり大騒ぎしたりすることもあった。又、上記実開平２−１２３９１４号に提案のものは構造が複雑で、製造する場合も非常に高価になってしまう。
【課題を解決するための手段】
【０００５】  そこで本発明においては、テンプル又はテンプルピース先端部にメガネを起立保持させる手段を設けるという新規な方法を採用した。
【発明の効果】
【０００６】  本発明によると、簡単な方法でメガネを立てて置くことが出来、又補助手段を設けることにより更にしっかりと保持することが出来る。そして、起立させて置いておく状態は今までに無いものであり、展示の際にもケース等が不必要で、非常に目立つディスプレーともなる。
【発明を実施するための最良の形態】
【０００７】  メガネを平面にほぼ垂直に立てて置く事が出来るようにする起立保持手段を、テンプル又はテンプルピース自由端部に設けた。
【実施例１】
【０００８】  以下図によって詳しく本発明を説明する。図１は本発明の実施例の起立された状態の全体図であり、図の様に真直ぐな平面Ｓに本発明のテンプルピース１０１を装着したメガネ１００を垂直に立たせて置くことが可能であり、今迄にない際立ったデザインで非常に目立ったものとなった。又本発明のテンプルピース１０１の材質としては、従来の熱可塑性樹脂製は勿論、木製、竹製、角製、べっ甲製、そして金属製であっても良い。又、テンプルピース１０１はテンプル全体を覆うような長さのもの、所謂、従来長モダン（テンプルピース）とよばれる物であっても良い。【０００９】  図２は本発明の他の実施例図であって、この場合はテンプル端部１０３に起立保持手段として、磁着手段である磁石１０４を設けたものであり、置かれる場所としては、平面部分は勿論磁性体Ｇを使用した所であれば磁着力により簡単にくっつき見失うことも無い。【００１０】  図３も本発明の他の実施例図であり、この場合はテンプル端部１０３ａに吸盤１０５を、起立保持手段として設けたものであり、吸盤が吸い付けるところであれば、強固に起立状態を維持できることとなる。【０００１１】  図４は本発明の他の実施例の説明用斜視図である。テンプルピース１０１ａの長軸ｈに平行な面Ｚに対する投影図形状が先端部に行くにしたがって広がるような略ラッパ形１０１ａ又は略台形状に形成されたテンプルピースが好ましい。そして、投影された図１０６は投影長軸ｈ１を中心線として上下完全に対称でなくても良く、概略近似であれば良い。例えば、このような形状に該当するものとしては、図５や図６のようなラッパ形１０１ｂのものやメガホン形１０１ｃのもの、又、図７のような多角錐台形やそれの類似形状のものでも良い。又、置かれた角度によっては、上記投影図が投影中心軸ｈ１に完全に対称でないもの、近似形としては例えば三角錐台形状があるが、それでも十分も目的は達せられる（図示はしない）。【０００１２】  そして、上記ラッパ形の広口底部１０２ａ，１０２ｂ，１０２ｃによって平面上にメガネが起立された状態を維持できることとなる。【００１３】  勿論上記テンプルピース端部の広口底部があまり狭いと起立されたメガネの安定が悪くなるのである程度の広さを取らなければならず、そのためにもラッパ形は理にかなった形状で、加えて装着者の側頭部の形にも略適合することとなる。【００１４】  図８は上記図５から図７のラッパ形のテンプルピース１０１ｄの広口底部１０２ｄに、更に起立保持の補助手段として磁着手段である磁石１０７を埋設した場合の断面図であり、この場合安定を良くする為と、磁性体（例えば電気スタンド等）の上であればどこでも立てておけるので便利である。【００１５】  図９は上記図５から図７のラッパ形のテンプルピース１０１ｅの広口底部１０２ｅに、更に起立保持の補助手段として吸着手段である吸盤１０８を装着した場合の断面図であり、この場合は、平らな凹凸のない面であればどこでも立てておくことが出来便利である。【００１６】  又、図１０のようにラッパ形のテンプルピース１０１ｆの内部は図のように中空であっても勿論構わない。【００１７】  図１１は本発明の他の実施例で、本発明のテンプルピースを装着した���ガネを掛けた場合の平面図であって、テンプルピース１０１ｇの小口部１０９から後方にネジ穴１１０が設けられ、ほぼストレートなテンプル端部には、前記ネジ穴に枢着される雄ネジ１１１が設けられ、該テンプルピースを回転させることによりテンプル長ｋを変化させることが出来る。この場合、テンプルピース１０１ｇは一回転、すなわち３６０度回転させる必要は無く、テンプル軸線にほぼ左右対称なラッパ形をしているので９０度でも１８０度でも自由な角度、すなわち自由な長さで調整できることになる。又、図１１からも解るように、人間の側頭部の曲線にほぼ合わすようにデザインが可能でありフィット感は非常に良い。又、メガネの重量を前後にバランスさせるカウンターバランスとしても役目も果たすことが出来る。【００１８】  図１２は本発明の他の実施例、すなわち、ラッパ形のテンプルエンド１２１が一体的に形成されたテンプル１２０の平面図であり、この場合も、自由端部１２２には起立保持手段が設けられ、又、起立保持補助手段である、磁着手段、吸着手段が設けられても勿論良い。又、材質としては、金属製、又はエンジニアリングプラスチック等が好ましい。【００１９】  又、本発明は図によって表されたものに限定されるものではなく、当業者が容易に思いつく程度の改良・デザイン的変化は本発明の請求の範囲に含まれるものである。
【図面の簡単な説明】
【００２０】
【図１】本発明のテンプルピースを装着したメガネの全体図
【図２】本発明の他の実施例の要部拡大図
【図３】本発明の他の実施例の一部断面要部拡大図
【図４】本発明の説明用斜視図
【図５】本発明のテンプルピースの斜視図
【図６】本発明の他の変化例のテンプルピースの斜視図
【図７】本発明の他の変化例のテンプルピースの斜視図
【図８】本発明の他の実施例の断面拡大図
【図９】本発明の他の実施例の断面拡大図
【図１０】本発明の他の実施例の断面拡大図
【図１１】本発明のテンプルピースを装着したメガネを掛けた場合の平面図
【図１２】本発明に他の実施例の平面図
【符号の説明】
１００  本発明のテンプルピースを装着したメガネ
１０１  テンプルピース
１０２  テンプル広口底部
１０３  テンプル端部
１０４  磁着手段
１０５  吸着手段
１０６  投影図
１０７  磁石
１０８  吸盤
１０９  テンプルピース小口部
１１０  ネジ穴
１１１  雄ネジ
１２０  本発明のテンプル
１２１  テンプルエンド
１２２  テンプルエンド自由端部
ｈ      長軸線
ｈ１    投影長軸線
ｋ      テンプル長
Ｓ      平面
Ｇ      磁性体
Ｚ      投影面（仮想）
【図１】
2005141174.tif 000003
【図２】
2005141174.tif 000004
【図３】
2005141174.tif 000005
【図４】
2005141174.tif 000006
【図５】
2005141174.tif 000007
【図６】
2005141174.tif 000008
【図７】
2005141174.tif 000009
【図８】
2005141174.tif 000010
【図９】
2005141174.tif 000011
【図１０】
2005141174.tif 000012
【図１１】
2005141174.tif 000013
【図１２】
2005141174.tif 000014